(57)【特許請求の範囲】
【請求項１】
鋼製の大引き（１１）の側面に断熱材（１５）を取り付ける断熱材取付け金具（１６）において、該断熱材取付け金具（１６）は、板材により一体成形され、複数の嵌合部（１６ｃ・１６ｃ）と、２つの支持部（１６ｂ・１６ｂ）、及び該嵌合部（１６ｃ）と支持部（１６ｂ）を接続する接続部（１６ｄ）により形成し、該支持部（１６ｄ）の両側に位置する嵌合部（１６ｃ・１６ｃ）間の幅は、略大引き（１１）の幅に等しく構成し、該嵌合部（１６ｃ・１６ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１６）の支持部（１６ｂ・１６ｂ）を、左右にそれぞれ水平位置まで折り曲げ、該断熱材（１５）の下面に該支持部（１６ｂ）を当接させ、断熱材（１５）の端部を支持することを特徴とする断熱材取付け金具。
【請求項２】
建物の外周基礎２ａの内側面に固設された大引き（１１）の側面に断熱材（１５）を取り付ける断熱材取付け金具（１７）において、該断熱材取付け金具（１７）は、板材により一体成形されており、複数の嵌合部（１７ｃ・１７ｃ）と、支持部（１７ｂ）、及び該嵌合部（１７ｃ）と支持部（１７ｂ）を接続する正面視逆Ｌ字形に構成した接続部（１７ｄ）により形成し、該支持部（１７ｄ）の上方両側に位置する嵌合部（１７ｃ・１７ｃ）間の幅はほぼ大引き（１１）の幅に等しく構成し、該嵌合部（１７ｃ・１７ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１７）の支持部（１７ｂ）を、水平位置まで折り曲げ、該断熱材（１５）の下面に該支持部（１７ｂ）を当接させ、断熱材（１５）の端部を支持することを特徴とする断熱材取付け金具。
【請求項３】
請求項１又は２記載の断熱材取付け金具において、嵌合部（１６ｃ・１７ｃ）を、支持部（１６ｄ・１７ｄ）に対して、一方に一つ、他方に二つ、配設する形状としたことを特徴とする断熱材取付け金具。
【発明の詳細な説明】
【０００１】
【発明の属する技術分野】
本発明は、畳の下の部分と地面との間に断熱材を取り付ける方法および金具に関する。
【０００２】
【従来の技術】
近年、耐震性およびコスト面より、鉄骨プレファブ住宅の需要が高まると共に、地球環境の保護の立場より、エネルギーの効率的な利用によるエネルギー資源の節約を行うべく、住宅内の効率的な冷暖房の実施が求められている。
この効率的な冷暖房を実施する方法として、住宅への断熱材の装着がある。断熱材を装着した部分が多くなるほど住宅内の保温性を向上させ、外部の温度変化を緩和し、住宅内の冷暖房の効率を上げ、該冷暖房に使用するエネルギー消費量が減少させる方法が知られている。例えば、畳下に断熱用のスチロールスポンジを配設するなどである。
従来、畳下断熱用スチロールの固定方法は標準化されておらず、現場において技術者の判断により行われている。その固定方法はおもに、木材にて構成されていた束等の一部を利用して断熱用のスチロールスポンジを取付け固定するなどの方法である。
【０００３】
【発明が解決しようとする課題】
上記の社会状況より、鉄骨式のプレファブ住宅においても畳下用断熱材を配設する要求が出ている。
しかし、木造住宅の場合には、断熱材を簡単に固定する部分が存在するため、断熱材の取付けを行うことが容易にできるが、これまでは、現場において熟練した技術者が経験とカンに頼って、断熱材の取付け、固定を行っており、設計側からのスタンダードな施工方法や金具の指示は出されていなかった。
このため、断熱材の取付け、固定方法が現場を担当した技術者により様々であり、必要となる部材が様々となる場合がある。これにより、住宅建設の際の工期を予定の通りに進めるにあたり、支障が生じる可能性がある。
また、他の技術者が修繕や補修、改装を行う際に、断熱材の取付け、固定方法が不明であるため、作業過程において作業が困難になる可能性があり、現場の技術者に負担を強いる可能性がある。
また、大引きの鋼製化に伴い、大引き部の断熱仕様に新しい技術が必要とされた。
【０００４】
【課題を解決するための手段】
本発明は上記の課題を解決すべく、次のような手段を用いるものである。
請求項１においては、鋼製の大引き（１１）の側面に断熱材（１５）を取り付ける断熱材取付け金具（１６）において、該断熱材取付け金具（１６）は、板材により一体成形され、複数の嵌合部（１６ｃ・１６ｃ）と、２つの支持部（１６ｂ・１６ｂ）、及び該嵌合部（１６ｃ）と支持部（１６ｂ）を接続する接続部（１６ｄ）により形成し、該支持部（１６ｄ）の両側に位置する嵌合部（１６ｃ・１６ｃ）間の幅は、略大引き（１１）の幅に等しく構成し、該嵌合部（１６ｃ・１６ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１６）の支持部（１６ｂ・１６ｂ）を、左右にそれぞれ水平位置まで折り曲げ、該断熱材（１５）の下面に該支持部（１６ｂ）を当接させ、断熱材（１５）の端部を支持するものである。
【０００５】
請求項２においては、建物の外周基礎２ａの内側面に固設された大引き（１１）の側面に断熱材（１５）を取り付ける断熱材取付け金具（１７）において、該断熱材取付け金具（１７）は、板材により一体成形されており、複数の嵌合部（１７ｃ・１７ｃ）と、支持部（１７ｂ）、及び該嵌合部（１７ｃ）と支持部（１７ｂ）を接続する正面視逆Ｌ字形に構成した接続部（１７ｄ）により形成し、該支持部（１７ｄ）の上方両側に位置する嵌合部（１７ｃ・１７ｃ）間の幅はほぼ大引き（１１）の幅に等しく構成し、該嵌合部（１７ｃ・１７ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１７）の支持部（１７ｂ）を、水平位置まで折り曲げ、該断熱材（１５）の下面に該支持部（１７ｂ）を当接させ、断熱材（１５）の端部を支持するものである。
【０００６】
請求項３においては、請求項１又は２記載の断熱材取付け金具において、嵌合部（１６ｃ・１７ｃ）を、支持部（１６ｄ・１７ｄ）に対して、一方に一つ、他方に二つ、配設する形状としたものである。
【０００７】
【発明の実施の形態】
次に本発明の実施形態について図を用いて説明する。
図１は軸組工法による建築された住宅の正面図、図２は住宅の骨組みの構成を示す図、図３は住宅の基礎の構成を示す斜視図、図４は畳下用断熱材の取付け構成を示す斜視図、図５は同じく底面斜視図、図６は間仕切り付近における畳下用断熱材の取付け構成を示す斜視図、図７は畳下の構成を示す断面図、図８は固定金具の平面図、図９は同じく正面図、図１０は同じく側面図、図１１は同じく斜視図、図１２は大引き及び固定金具の正面断面図、図１３は同じく斜視図、図１４は断熱材を配設時の固定金具の形状を示す斜視図、図１５は固定金具の正面図、図１６は同じく平面図、図１７は同じく側面図、図１８は同じく斜視図、図１９は大引き及び固定金具の正面断面図、図２０は同じく斜視図である。
【０００８】
図１乃至図３において、住宅１は鉄骨による軸組工法により構成されたものである。
住宅１の柱および壁軸組４は、コンクリートにより構成された基礎２の上に立設されており、該基礎２にはアンカーボルト等が埋設されており、アンカーボルト等により前記柱および壁軸組４が基礎２に固設された構成となっている。また、柱および壁軸組４の上部は梁５などに接続されており、該梁５の上部にさらに柱もしくは壁軸組４などを立設し、２階部分を構成するものである。これにより、住宅１の横方向の剛性を増し、地震や強風に十分に耐え得る構成となるものである。
柱および壁軸組４と梁５はボルトなどにより固設されており、組み立て時の接続が容易であり、作業者がラチェットレンチやスパナなどにより容易に組み立て作業を行うことができる。また、解体時の作業も容易に行うことができる構成になっている。
住宅１の基礎２はコンクリートにより構成されており、該基礎２には外周基礎２ａおよび間仕切基礎２ｂが構成されている。該基礎２の外周基礎２ａの内側および間仕切基礎２ｂ上には後述する大引きが配設され、該大引き上には根太が配設される。該根太の上方には畳が構成され、根太および大引きにより畳を支持する構成になっている。
【０００９】
次に、畳の下に断熱材を配設する構成について、図４乃至図７において説明する。
大引き１１は、外周基礎２ａに固設された受け金具２ｄ・２ｆもしくは間仕切り２ｂに固設された大引き固定金具２ｇに固定されており、該大引き１１は下方を鋼製束１２もしくは間仕切り２ｂにより支持されている。
大引き１１を配設した外周基礎２ａの内側には断熱材１５が配設されており、該断熱材１５は大引き１１間および大引き１１の下方に配設される構成になっている。該断熱材１５はスチロールスポンジ等の断熱性素材により構成されており、加工性の良いものを使用することにより、現場における微調整を容易に行うことができる。
また、断熱材１５の大引き１１の当接部は、直角に切れ込んだ構成になっており、該断熱材１５の端部が大引き１１の側面および、底面に当接する構成になっている。
【００１０】
大引き１１には断熱材取付け金具１６・１７が装着されており、該断熱材取付け金具１６・１７により断熱材１５が支持される。断熱材取付け金具１７は、側面の近傍に外周基礎２ａが配設された大引き１１に装着され、断熱材１５を支持するものであり、断熱材取付け金具１６はその他の大引き１１に装着され、断熱材取付け金具１６を支持するものである。すなわち、断熱材１５は断熱材取付け金具１６・１６間もしくは断熱材取付け金具１７・１７間に配設される構成になっている。
該断熱材取付け金具１６・１７は図５に示すごとく、断熱材１５を下方より、該断熱材取付け金具１６・１７の一端により支持する構成になっている。
【００１１】
また、図６に示すごとく、大引き１１と間仕切り２ｂが交わっており、該大引き１１が間仕切り２ｂ上を通過している構成になっている部分においては、断熱材１５は大引き１１の側面および間仕切り２ｂの上面に当接する構成になっている。
この場合に、断熱材１５が間仕切り２ｂに当接し、該間仕切り２ｂ付近には前記断熱材取付け金具１６を配設することなく、間仕切り２ｂにより断熱材１５を支持させる構成となっている。これにより、余分に断熱材取付け金具１６を仕様する必要がなく、作業を容易に行うことができる。
【００１２】
すなわち、図７に示すごとく、断熱材１５の端部は当接している大引き１１の固定状態により異なる。外周基礎２ａの内側面に沿って配設された大引き１１に当接する断熱材１５の端部は該大引き１１の底面の端まで延出されており、鋼性束１２により支持される大引い１１に当接する断熱材１５の端部は該大引き１１の底面の中間付近まで延出されている。また、前述の間仕切り２ｂに固設された大引き１１に当接した断熱材１５は、大引き１１の側面に当接し、間仕切り２ｂの上面および側面に当接している。
上記のごとく、大引き１１・１１間に断熱材１５を配設し、該大引き１１の上方に根太１３を配設し、該根太１３の上方に畳１９を構成する。これにより、畳１９への熱の伝達が緩和され、冷暖房を効率的に行うことができる。
【００１３】
次に、図８乃至図１４において、断熱材取付け金具１６の形状について説明する。
断熱材取付け金具１６は一体成形されており、三つの嵌合部１６ｃ・１６ｃ・１６ｃ、２つの支持部１６ｂ・１６ｂおよび該嵌合部１６ｃと支持部１６ｂを接続する接続部１６ｄにより形成されている。
嵌合部１６ｃは支持部１６ｄに対して一方に一つ、他方に二つ配設された形状になっており、該支持部１６ｄの両側に位置する嵌合部１６ｃ・１６ｃ間の幅はほぼ大引き１１の幅に等しく構成されている。
また、断熱材取付け金具１６を側面視すると、図１０に示すごとく、接続部１６ｄと支持部１６ｂが接続される部位の幅は狭く構成されており、該支持部１６ｂを接続部１６ｄに対して容易に折り曲げ可能に構成している。このため、該支持部１６ｂを折り曲げる際に特別な工具を必要とせず、手袋を装着した手等により作業者が容易に行うことができる。これにより、断熱材１５の配設作業を容易にかつ迅速に行うことができる。
【００１４】
断熱材１５の断熱材取付け金具１６による支持方法について説明する。
断熱材取付け金具１６は、図１２および図１３に示すごとく、該断熱材取付け金具１６の嵌合部１６ｃを大引き１１の側面凹部に嵌合させ、該大引き１１に装着される。この後、大引き１１の下方より、断熱材１５を大引き１１に当接させ、前記断熱材取付け金具１６の支持部１６ｂ・１６ｂを図１４に示すごとく、左右にそれぞれ水平位置まで折り曲げる。これにより、断熱材１５の下面に該支持部１６ｂが当接し、２つの断熱材１５の端部が支持される。
断熱材取付け金具１６は上記のような形状であるため、該断熱材取付け金具１６を容易に成形できるとともに、安価に製造できる。このため、断熱材１５の配設にかかる経費を安価にすることができる。また、一つの断熱材取付け金具１６により、二つの断熱材１５の端部を支持するため、断熱材取付け金具１６の配設数を最小限に抑えることができる。また、作業にかかる手間が減少する。
上記のごとく、規格化された断熱材取付け金具１６により断熱材１５を配設するので、該断熱材１５の配設作業方法が規格化され、断熱材１５の取付け作業を容易に行うことができる。作業方法が規格化されることにより、作業工程を組みやすく、作業内容に則した作業工程を実現できる。また、作業工程において余分な猶予期間を短縮できるため、作業に掛かる人件費を節約でき、住宅建設のためのコストを低減できる。
【００１５】
次に、図１５乃至図２０において、断熱材取付け金具１７の形状について説明する。
断熱材取付け金具１７は一体成形されており、三つの嵌合部１７ｃ・１７ｃ・１７ｃ、２つの支持部１７ｂ・１７ｂおよび該嵌合部１７ｃと支持部１７ｂを接続する正面視逆L 字形の接続部１７ｄにより形成されている。
接続部１７ｄの上端部に２つの嵌合部１７ｃ・１７ｃが配設されており、該接続部１７ｄの角部に１つの嵌合部１７ｃが配設されている。また、支持部１７ｄの両側に位置する嵌合部１７ｃ・１７ｃ間の幅はほぼ大引き１１の幅に等しく構成されている。
断熱材取付け金具１７を側面視すると、図１７に示すごとく、接続部１７ｄと支持部１７ｂが接続される部位の幅は狭く構成されており、該支持部１７ｂを接続部１７ｄに対して容易に折り曲げ可能に構成している。このため、該支持部１７ｂを折り曲げる際に特別な工具を必要とせず、手袋を装着した手等により作業者が容易に行うことができる。これにより、断熱材１５の配設作業を容易にかつ迅速に行うことができる。
【００１６】
断熱材１５の断熱材取付け金具１７による支持方法について説明する。
断熱材取付け金具１７は、図１９および図２０に示すごとく、該断熱材取付け金具１７の嵌合部１７ｃを大引き１１の側面凹部に嵌合させ、該大引き１１に装着される。この後、大引き１１の下方より、断熱材１５を大引き１１に当接させ、前記断熱材取付け金具１７の支持部１７ｂ・１７ｂをそれぞれ接続部１７ｄ延出側に水平位置まで折り曲げる。これにより、断熱材１５の下面に該支持部１７ｂ・１７ｂが当接し、断熱材１５が支持される。
【００１７】
該断熱材取付け金具１７を用いることにより、図１９に示すごとく、外周基礎２ａの内側面に固設された大引き１１に断熱材１５を取り付けることができ、該大引き１１と外周基礎２ａの関係を変えることなく行うことができる。このため、該断熱材１５を大引き１１・１１間に隙間無く、配設することができると共に、該作業を容易に行うことができる。さらに、該断熱材取付け金具１７が嵌合により、大引き１１に装着されるため、断熱材取付け金具１７の取付けおよび取り外しを容易に行うことができる。また、断熱材１５の配設を容易に行うことが可能であるため、断熱材１５の取付け作業が容易であるとともに、畳下部分の補修等を行う際に容易に断熱材１５および取付け金具１７を取り外しすることができる。
【００１８】
【発明の効果】
本発明は、以上の如く構成したので、次のような効果を奏するものである。
請求項１の如く、鋼製の大引き（１１）の側面に断熱材（１５）を取り付ける断熱材取付け金具（１６）において、該断熱材取付け金具（１６）は、板材により一体成形され、複数の嵌合部（１６ｃ・１６ｃ）と、２つの支持部（１６ｂ・１６ｂ）および該嵌合部（１６ｃ）と支持部（１６ｂ）を接続する接続部（１６ｄ）により形成し、該支持部（１６ｄ）の両側に位置する嵌合部（１６ｃ・１６ｃ）間の幅は、略大引き（１１）の幅に等しく構成し、該嵌合部（１６ｃ・１６ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１６）の支持部（１６ｂ・１６ｂ）を、左右にそれぞれ水平位置まで折り曲げ、該断熱材（１５）の下面に該支持部（１６ｂ）を当接させ、断熱材（１５）の端部を支持するので、容易な形状の取付け金具により断熱材の配設を行うことができる。大引に嵌合することによって取付け金具が装着されるため、該金具の取付けおよび取り外しを容易に行うことができる。
また、断熱材の配設を容易に行うことが可能であるため、断熱材の取付け作業が容易であるとともに、畳下部分の補修等を行う際に容易に断熱材および取付け金具を取り外しすることができる。
【０００５】
請求項２の如く、建物の外周基礎２ａの内側面に固設された大引き（１１）の側面に断熱材（１５）を取り付ける断熱材取付け金具（１７）において、該断熱材取付け金具（１７）は、板材により一体成形されており、複数の嵌合部（１７ｃ・１７ｃ）と、支持部（１７ｂ）、及び該嵌合部（１７ｃ）と支持部（１７ｂ）を接続する正面視逆Ｌ字形に構成した接続部（１７ｄ）により形成し、該支持部（１７ｄ）の上方両側に位置する嵌合部（１７ｃ・１７ｃ）間の幅はほぼ大引き（１１）の幅に等しく構成し、該嵌合部（１７ｃ・１７ｃ）を鋼製の大引き（１１）の側面に設けた凹部に嵌合させて、該大引き（１１）の下部に吊設し、前記断熱材（１５）の端部を大引き（１１）に当接させ、前記断熱材取付け金具（１７）の支持部（１７ｂ）を、水平位置まで折り曲げ、該断熱材（１５）の下面に該支持部（１７ｂ）を当接させ、断熱材（１５）の端部を支持するので、建物の外周基礎２ａの内側面に固設された大引き（１１）の側面に断熱材（１５）を取り付ける作業方法が規格化され、断熱材の取付け作業を容易に行うことができる。
作業方法が規格化されることにより、作業工程を組みやすく、作業内容に則した作業工程を実現できる。また、作業工程において余分な猶予期間を短縮できるため、作業に掛かる人件費を節約でき、住宅建設のためのコストを低減できる。
【０００６】
請求項３の如く、請求項１又は２記載の断熱材取付け金具において、嵌合部（１６ｃ・１７ｃ）を、支持部（１６ｄ・１７ｄ）に対して、一方に一つ、他方に二つ、配設する形状としたので、断熱材取付け金具の大引き（１１）への配設を安定させることができ、該断熱材取付け金具の取付けに掛かる手間を減少できる。また、該断熱材を配設するためのコストを低減できる。
【図面の簡単な説明】
【図１】  軸組工法による建築された住宅の正面図である。
【図２】  住宅の骨組みの構成を示す図である。
【図３】  住宅の基礎の構成を示す斜視図である。
【図４】  畳下用断熱材の取付け構成を示す斜視図である。
【図５】  同じく底面斜視図である。
【図６】  間仕切り付近における畳下用断熱材の取付け構成を示す斜視図である。
【図７】  畳下の構成を示す断面図である。
【図８】  固定金具の平面図である。
【図９】  同じく正面図である。
【図１０】  同じく側面図である。
【図１１】  同じく斜視図である。
【図１２】  大引き及び固定金具の正面断面図である。
【図１３】  同じく斜視図である。
【図１４】  断熱材を配設時の固定金具の形状を示す斜視図である。
【図１５】  固定金具の正面図である。
【図１６】  同じく平面図である。
【図１７】  同じく側面図である。
【図１８】  同じく斜視図である。
【図１９】  大引き及び固定金具の正面断面図である。
【図２０】  同じく斜視図である。
【符号の説明】
２  基礎
２ａ  外周基礎
２ｂ  間仕切り基礎
１１  大引き
１５  断熱材
１６・１７  断熱材取付け金具
【図１】
0003836993.tif 000002
【図２】
0003836993.tif 000003
【図３】
0003836993.tif 000004
【図４】
0003836993.tif 000005
【図５】
0003836993.tif 000006
【図６】
0003836993.tif 000007
【図７】
0003836993.tif 000008
【図８】
0003836993.tif 000009
【図９】
0003836993.tif 000010
【図１０】
0003836993.tif 000011
【図１１】
0003836993.tif 000012
【図１２】
0003836993.tif 000013
【図１３】
0003836993.tif 000014
【図１４】
0003836993.tif 000015
【図１５】
0003836993.tif 000016
【図１６】
0003836993.tif 000017
【図１７】
0003836993.tif 000018
【図１８】
0003836993.tif 000019
【図１９】
0003836993.tif 000020
【図２０】
0003836993.tif 000021